(57)【要約】【課題】投光装置の光源を発光ダイオードから構成しながら、投光装置から放射される光の調光に係る操作方法および操作感を、この光源を従来のキセノンランプなどのランプとした投光装置における光の調光に係る操作方法および操作感と、できるだけ齟齬の少ないものにする。【解決手段】光量制御機構８は、ケーシング３内にあってその筒軸３ｃを中心とした回動可能に前記ケーシング３側に支持された回動体９と、ケーシング３の外部から回動体９を回動操作可能とするように回動体９に付設された操作部１０と、発光ダイオードに印加される電流量を増減調整可能とする可変抵抗器１１と、回動体９の往動により可変抵抗器１１の可動部を電流量を増加させる向きに移動させると共に、回動体９の復動により可変抵抗器１１の可動部を電流量を減少させる向きに移動させるように、回動体９と可変抵抗器１１とを連係させるリンク機構１２とを備える。【選択図】図３
2019145256.tif 000002
【特許請求の範囲】
【請求項１】
筒一端を光出射部とした筒状のケーシングと、
前記ケーシングに内蔵された発光ダイオードから構成される光源と、
前記光源と前記光出射部との間に位置して前記光出射部から出力される光の光量を制御する光量制御機構とを有する投光装置であって、
前記光量制御機構は、前記ケーシング内にあってその筒軸を中心とした回動可能に前記ケーシング側に支持された回動体と、
前記ケーシングの外側から前記回動体を回動操作可能とするように前記回動体に付設された操作部と、
前記発光ダイオードに印加される電流量を増減調整可能とする可変抵抗器と、
前記回動体の往動により前記可変抵抗器の可動部を前記電流量を増加させる向きに移動させると共に、前記回動体の復動により前記可変抵抗器の前記可動部を前記電流量を減少させる向きに移動させるように、前記回動体と前記可変抵抗器とを連係させるリンク機構とを備えてなる、投光装置。
【請求項２】
前記回動体を復動させ切ったときに前記光源を消灯させるようにしてなる、請求項１に記載の投光装置。
【請求項３】
前記回動体を、その内方を前記光源からの光の通過部とした環状に構成させてなる、請求項１又は請求項２に記載の投光装置。
【請求項４】
前記光量制御機構と前記光出射部との間に前記光出射部から放射される光の径の調整機構を備えてなる、請求項１〜請求項３のいずれか１項に記載の投光装置。
【発明の詳細な説明】
【技術分野】
【０００１】
この発明は、コンサート会場、演劇ホール、映画などの撮影現場、結婚式やファッションショーなどのイベント会場などにおいて、照明スタッフに操作される投光装置の改良に関する。
【背景技術】
【０００２】
筒状のケーシングの筒一端をこのケーシングに内蔵したキセノンランプから放射される光の光出射部とした投光装置として特許文献１に示されるものがある。前記ケーシングは、支持台によって、垂直軸を中心とした回転可能で、かつ、水平軸を中心とした傾動可能に支持されており、照明スタッフの操作により所望の位置に前記光を照射できるようになっている。前記キセノンランプと前記光出射部との間には、前記キセノンランプに近い側から光量調整の第１のカッター装置、全開状態と全閉状態との間で切り替え可能とされる第２のカッター装置、投光装置から放射される円形の光の径を調整するアイリスシャッターが備えられている。前記第１のカッター装置、前記第２のカッター装置、および、アイリスシャッターは、いずれも、ケーシングの上部から外方に突き出す操作桿をケーシングの筒軸を巡る向きに回動させることで機械的な調光を行うようになっている。具体的には、投光装置からの光の放射は、前記第２のカッター装置を全閉状態にすると停止される。前記第２のカッター装置を全開状態にする操作をすることで、投光装置から前記キセノンランプの光が放射される。前記第２のカッター装置を全開状態にした状態で、前記第１のカッター装置の操作桿を操作すると、この第１のカッター装置を構成する複数枚の羽根板がスライドして光の光量が調整される（この第１のカッター装置はディミングシャッターなどと称される。）。また、前記第２のカッター装置を全開状態にした状態で、前記アイリスシャッターの操作桿を操作すると、このアイリスシャッターを構成する複数枚の羽根板がスライドして放射される光の径が調整される。
【先行技術文献】
【特許文献】
【０００３】
【特許文献１】特開２０１０−１３５０９５号公報
【発明の概要】
【発明が解決しようとする課題】
【０００４】
この種の投光装置の光源は、発光ダイオードの高出力化によって発光ダイオードに置き換え可能となっている。光源をキセノンランプにした場合に比べ、光源を発光ダイオードとした場合、出力が同程度でも消費電力を低くでき、また、投光装置稼働時に発生する熱を低く押さえることができ、さらに、投光装置から放射される光の光量調整を、発光ダイオードに印加される電流量の増減調整により行うことが可能となる。（放電ランプであるキセノンランプはこれに印加される電流量が一定値以上でないと、ちらつきを生じたり、消灯に至るため、電流量の増減調整による光量調整を現実的には行えない。）
【０００５】
この種の投光装置の光源を発光ダイオードで置き換えた場合、前記第１のカッター装置、および、前記第２のカッター装置の機能は、発光ダイオードに印加される電流量を増減調整可能とする可変抵抗器によって充足可能となることから、前記第１のカッター装置、および、前記第２のカッター装置は不要となる。しかしながら、前記特許文献１に示される構成の投光装置は、これまでに広く普及し慣れ親しまれているため、この種の投光装置の光源を発光ダイオードで置き換えた場合でも、投光装置から放射される光の調光に係る操作方法および操作感は維持すべきとの要請が強い。
【０００６】
この発明が解決しようとする主たる問題点は、この種の投光装置の光源を発光ダイオードから構成しながら、投光装置から放射される光の調光に係る操作方法および操作感を、この光源を従来のキセノンランプなどのランプとした投光装置における光の調光に係る操作方法および操作感と、できるだけ齟齬の少ないものにする点にある。
【課題を解決するための手段】
【０００７】
前記課題を達成するために、この発明にあっては、投光装置を、筒一端を光出射部とした筒状のケーシングと、
前記ケーシングに内蔵された発光ダイオードから構成される光源と、
前記光源と前記光出射部との間に位置して前記光出射部から出力される光の光量を制御する光量制御機構とを有する投光装置であって、
前記光量制御機構は、前記ケーシング内にあってその筒軸を中心とした回動可能に前記ケーシング側に支持された回動体と、
前記ケーシングの外部から前記回動体を回動操作可能とするように前記回動体に付設された操作部と、
前記発光ダイオードに印加される電流量を増減調整可能とする可変抵抗器と、
前記回動体の往動により前記可変抵抗器の可動部を前記電流量を増加させる向きに移動させると共に、前記回動体の復動により前記可変抵抗器の前記可動部を前記電流量を減少させる向きに移動させるように、前記回動体と前記可変抵抗器とを連係させるリンク機構とを備えてなる、ものとした。
【０００８】
前記回動体を復動させ切ったときに前記光源を消灯させるようにすることが、この発明の態様の一つとされる。
【０００９】
また、前記回動体を、その内方を前記光源からの光の通過部とした環状に構成させることが、この発明の態様の一つとされる。
【００１０】
また、前記光量制御機構と前記光出射部との間に前記光出射部から放射される光の径の調整機構を備えさせることが、この発明の態様の一つとされる。
【発明の効果】
【００１１】
この発明によれば、この種の投光装置の光源を発光ダイオードから構成しながら、投光装置から放射される光の調光に係る操作方法および操作感を、この光源を従来のキセノンランプなどのランプとした投光装置における光の調光に係る操作方法および操作感と、できるだけ齟齬の少ないものにすることができる。
【図面の簡単な説明】
【００１２】
【図１】図１はこの発明の一実施の形態にかかる投光装置の斜視構成図である。
【図２】図２は前記投光装置の断面構成図である。
【図３】図３は前記投光装置を構成する光量制御機構の斜視図である。
【図４】図４は前記投光装置を構成する光量制御機構の斜視図であり、これを構成する回動体が図３の状態から時計回りの向きに回動しきった状態を示している。
【図５】図５は前記投光装置を構成する光量制御機構の正面図であり、これを構成する回動体が図３の状態から時計回りの向きに回動しきった状態を示している。
【図６】図６は前記投光装置を構成する光量制御機構の側面図であり、これを構成する回動体が図３の状態から時計回りの向きに回動しきった状態を示している。
【発明を実施するための形態】
【００１３】
以下、図１〜図６に基づいて、この発明の典型的な実施の形態について、説明する。この実施の形態にかかる投光装置１は、コンサート会場、演劇ホール、映画などの撮影現場、結婚式やファッションショーなどのイベント会場などにおいて、照明スタッフに操作されて、所望の照明対象に所望の照明効果を付与するために用いられるものである。
【００１４】
かかる投光装置１は、筒一端３ａ（筒前端）を光出射部２とした筒状のケーシング３と、
前記ケーシング３に内蔵された発光ダイオード（以下、ＬＥＤと称する。）から構成される光源４ａと、
前記ケーシング３内において前記光源４ａと前記光出射部２との間に位置して前記光出射部２から出力される光の光量を制御する光量制御機構８とを有している。
【００１５】
図２にかかる投光装置１の一例についてその概要構成を示す。ケーシング３の筒一端３ａは開放されており、この開放箇所が光出射部２として機能するようになっている。ケーシング３の筒他端３ｂは閉塞されている。
【００１６】
光源４ａはケーシング３の筒他端３ｂ（筒後端）側に配置されている。光源４ａは、その光軸をケーシング３の筒軸３ｃと実質的に一致させるように、ケーシング３の筒軸３ｃに直交する前面４ｃ及び背面４ｄを持った板状座体４ｂの中央に備え付けられている。図示は省略するが、光源４ａは、複数のＬＥＤの集合体から構成される。板状座体４ｂとケーシング３の筒他端３ｂとの間には板状座体４ｂの背面４ｄに一部を熱交換可能に一体化させたヒートシンク４ｅが配されており、このヒートシンク４ｅと前記光源４ａとによりＬＥＤユニット４が構成されている。
【００１７】
ＬＥＤユニット４の下方には、ＬＥＤユニット４に対する電源及びコントローラーユニット５が配されている。ケーシング３におけるＬＥＤユニット４の上方は放熱用の開放部３ｄが形成されている。
【００１８】
図示の例では、ケーシング３内におけるケーシング３の全長略中程の位置に、後玉レンズ６が配され、この後玉レンズ６と前記光出射部２との間に前玉レンズ７が配されている。
【００１９】
また、ケーシング３内における後玉レンズ６と光源４ａとの間に、光量制御機構８と、放射される光の径の制御機構１４とが備えられている。
【００２０】
前記光の径の制御機構１４は、図示の例では、前記光量制御機構８と前記光出射部２との間に、すなわち、前記光量制御機構８の前方に位置されている。この光の径の制御機構１４は、図示の例では、公知のアイリスシャッターによって構成されている。かかるアイリスシャッターは、ケーシング３の上部に形成されたケーシング３の筒軸３ｃを巡る向きに長いスロット状の通過穴３ｅから突き出す操作桿１４ａが付設された可動部（図示は省略する。）と、操作桿１４ａを利用した可動部の回動操作によってスライドされる複数枚の羽根板（図示は省略する。）とを有しており、操作桿１４ａを通過穴３ｅの範囲内で移動させることで前記可動体が前記筒軸３ｃを中心として往動方向に又は復動方向に回動し、この可動体の回動により前記羽根板がスライドしてアイリスシャッターを通過して放射される光の径を一定の範囲で広げ又は縮めるようになっている。
【００２１】
光量制御機構８は、前記ケーシング３内にあってその筒軸３ｃを中心とした回動可能に前記ケーシング３側に支持された回動体９と、
前記ケーシング３の外部から前記回動体９を回動操作可能とするように前記回動体９に付設された操作部１０と、
前記光源４ａを構成するＬＥＤに印加される電流量を増減調整可能とする前記ＬＥＤに係る図示しない回路の一部をなす可変抵抗器１１と、
前記回動体９の往動により前記可変抵抗器１１の可動部（図示は省略する。）を前記電流量を増加させる向きに移動させると共に、前記回動体９の復動により前記可変抵抗器１１の前記可動部を前記電流量を減少させる向きに移動させるように、前記回動体９と前記可変抵抗器１１とを連係させるリンク機構１２とを備えている。
【００２２】
図示の例では、回動体９は、その内方を前記光源４ａからの光の通過部９ａとした環状に構成されている。図示の例では、回動体９は、円板に前記通過部９ａとなる円形の穴を形成させることで環状に構成されている。回動体９の外縁と内縁との間には、回動体９の中心を円の中心とした仮想の一つの円の円弧に沿った長い透かし穴９ｂが形成されている。図示の例では、透かし穴９ｂは隣り合う透かし穴９ｂとの間に間隔を開けて、三カ所に形成されている。三カ所の透かし穴９ｂの長さは等しくなっている。
【００２３】
操作部１０は、図示の例では、下端を回動体９に固着させたロッド状を呈している。操作部１０は、ケーシング３の上部に形成された操作部１０の通過穴３ｆを通じてケーシング３の外側に延び出すようになっており、これにより、ケーシング３の外側から操作部１０を利用して回動体９を一定の範囲で往動方向（例えば、投光装置を図１に示されるように正面から見た状態において時計回りｒ１の向き）に回動操作でき、また、復動方向（例えば、投光装置を図１に示されるように正面から見た状態において反時計回りｒ２の向き）に回動操作できるようになっている。図示の例では、通過穴３ｆはケーシング３の筒軸３ｃを巡る向きに長いスロット状を呈している。なお、操作部１０は、ケーシング３の外側から回動体９を回動操作可能とする構成のものであれば足り、その具体的構成は図示のものに限られない。
【００２４】
可変抵抗器１１は、図示の例では、左右方向ｘ（図１参照）に長さ方向を沿わせるように配された正面視の状態において実質的に長方形状を呈した態様のものとなっており、図示しない可動部を左右方向ｘに移動可能とした構成となっている。なお、可変抵抗器１１は、発光ダイオードに印加される電流量を増減調整可能とする構成のものであれば足り、その具体的構成は図示のものに限られない。
【００２５】
図示の例では、回動体９を支持する前側板体１３ａと、可変抵抗器１１を支持する後側板体１３ｆとを備えた支持体１３をケーシング３に固定することで、回動体９をケーシング３側に支持するようになっている。
【００２６】
前側板体１３ａは、図示の例では、中央に円形穴状をなす前記光源４ａからの光の通過部１３ｂを備えた板体によって構成されている。前側板体１３ａの前面１３ｄであって、前側板体１３ａの外縁と前記通過部１３ａの穴縁との間には、回動体９の透かし穴９ｂに納まるガイド部１３ｃが前側板体１３ａに固定させたボルトによって形成されている。ガイド部１３ｃは前記透かし穴９ｂの数に対応して三つ設けられている。図示の例では、回動体９は三カ所の前記透かし穴９ｂにそれぞれ、前記ガイド部１３ｃを納めることで、前側板体１３ａの前面１３ｄに回動体９の背面９ｃを接しさせた状態で、前側板体１３ａと組み合わされている。これにより、回動体９は前記透かし穴９ｂの長さの範囲内で、回動されるようになっている。回動体９と前側板体１３ａとは、前記背面９ｃと前面１３ｄとで面接触しており、その摩擦抵抗によって各回動位置においてそれぞれ、回動体９がズレ動くことが防止できるようになっている。
【００２７】
後側板体１３ｆは、中央に円形穴状をなす前記光源４ａからの光の通過部１３ｇを備えた板体によって構成されている。前側板体１３ａと後側板体１３ｆとは、前側板体１３ａの背面１３ｅと後側板体１３ｆの前面１３ｈとの間に間隔が形成されるように、図中符号１３ｉで示す棒状スペーサを介して連結されている。図示の例では、後側板体１３ｆの上部に可変抵抗器１１が据え付けられている。
【００２８】
リンク機構１２は、図示の例では、回動体９の上部に下端を固定されて上方に突き出す舌片状部１２ａと、可変抵抗器１１の可動部に後端を固定されて前方に突き出す軸体１２ｃとを、舌片状部１２ａに形成させた上下方向に長い保持穴１２ｂに軸体１２ｃの前端側を納め入れた構成となっている。かかる保持穴１２ｂの構成により回動体９の回動により可変抵抗器１１の可動部の左右方向ｘの移動が実現されている。なお、リンク機構１２は、前記回動体９の往動により前記可変抵抗器１１の可動部を前記電流量を増加させる向きに移動させると共に、前記回動体９の復動により前記可変抵抗器１１の前記可動部を前記電流量を減少させる向きに移動させるように、前記回動体９と前記可変抵抗器１１とを連係させるものであれば足り、その具体的構成は図示のものに限られない。
【００２９】
なお、図中符号１５で示すのは前側板体１３ａの通過部１３ｂに備えられたレンズ、符号１６で示すのは後側板体１３ｆの通過部１３ｇに備えられたレンズである。
【００３０】
また、図中符号１７で示すのは、投光装置１の支持機構の上部を構成する支持アーム１７であり、ケーシング３はその筒一端３ａと筒他端３ｂとの間において水平軸１８をもって支持アーム１７に回動可能に支持されている。また、図中符号１９で示すのは、投光装置１の支持機構の図示しない下部に回転可能に組み合わされる垂直軸である。
【００３１】
前記光量調整機構を構成する操作部１０を利用して光量調整機構を構成する回動体９を回動させると、リンク機構１２を介して回動体９に連係された可変抵抗器１１の可動部が移動し、光源４ａを構成するＬＥＤに印加される電流量を変えることができる。これにより、投光装置１から放射される光の光量を調整することができる。
【００３２】
すなわち。この実施の形態にかかる投光装置１によれば、この種の投光装置１の光源４ａをＬＥＤから構成しながら、投光装置１から放射される光の調光に係る操作方法および操作感を、この光源４ａを従来のキセノンランプなどのランプとした投光装置１における光の調光に係る操作方法および操作感と、できるだけ齟齬の少ないものにすることができる。
【００３３】
前記回動体９を復動させ切ったときに前記光源４ａを消灯させるようにしておけば、例えば、前記回動体９を復動させ切ったときに光源４ａを構成するＬＥＤに印加される電流量が零になるようにしておけば、投光装置１から光が放射されないようにする状態を前記光量調整機構によって実現させることができる。
【００３４】
例えば、前記光量調整機構を構成する操作部１０が図１における右側に回動しきった状態において投光装置１から放射される光の光量が最大となるようにした場合、前記操作部１０を左側に回動させるに従って前記光量が漸減し、左側に回動させきった状態において投光装置１から光が放射されないようにすることができる。
【００３５】
なお、当然のことながら、本発明は以上に説明した実施態様に限定されるものではなく、本発明の目的を達成し得るすべての実施態様を含むものである。
【符号の説明】
【００３６】
３  ケーシング
３ｃ  筒軸
９  回動体
１０  操作部
１１  可変抵抗器
１２  リンク機構
【図１】
2019145256.tif 000003
【図２】
2019145256.tif 000004
【図３】
2019145256.tif 000005
【図４】
2019145256.tif 000006
【図５】
2019145256.tif 000007
【図６】
2019145256.tif 000008